(57)【要約】【課題】視聴による報酬を受け取る権利を失うことを防止することが可能な新たな技術を提供する。【解決手段】複数のチャンネルを有するデジタル放送を受信する受信装置であって、チャンネルを選局する選局動作を検出する検出手段と、選局中のチャンネルで放送中の放送番組が予め定められた視聴条件を満たすことで視聴者が報酬を受け取る権利を取得することができる放送番組であるか否かを判定する判定手段と、前記判定手段が報酬を受け取る権利を取得することができる放送番組であると判定した場合に、前記チャンネルの選局の制御に関するモードを通常モードから警告モードに遷移させる遷移手段と、前記警告モードにおいて、報酬を受け取る権利を取得することができる放送番組を視聴している間に、当該放送番組を放送中のチャンネルから他のチャンネルに選局する選局動作を前記検出手段が検出した場合に、前記報酬を受け取る権利が失われることを通知する通知手段と、を有することを特徴とする受信装置を提供する。【選択図】図７
2010081242.tif 000002
【特許請求の範囲】
【請求項１】
複数のチャンネルを有するデジタル放送を受信する受信装置であって、
チャンネルを選局する選局動作を検出する検出手段と、
選局中のチャンネルで放送中の放送番組が予め定められた視聴条件を満たすことで視聴者が報酬を受け取る権利を取得することができる放送番組であるか否かを判定する判定手段と、
前記判定手段が報酬を受け取る権利を取得することができる放送番組であると判定した場合に、前記チャンネルの選局の制御に関するモードを通常モードから警告モードに遷移させる遷移手段と、
前記警告モードにおいて、報酬を受け取る権利を取得することができる放送番組を視聴している間に、当該放送番組を放送中のチャンネルから他のチャンネルに選局する選局動作を前記検出手段が検出した場合に、前記報酬を受け取る権利が失われることを通知する通知手段と、
を有することを特徴とする受信装置。
【請求項２】
前記判定手段が報酬を受け取る権利を取得することができる放送番組であると判定した場合に、当該放送番組の視聴開始時刻が前記報酬を受け取る権利を取得することができるタイミングであるか否かを判別する判別手段を更に有し、
前記遷移手段は、前記判別手段が前記報酬を受け取る権利を取得することができるタイミングでないと判別した場合には、前記警告モードに遷移させないことを特徴とする請求項１に記載の受信装置。
【請求項３】
前記検出手段は、前記選局動作として、視聴者の選局の指示による選局動作、及び、予約された放送番組の録画による選局動作の少なくとも１つを検出することを特徴とする請求項１又は２に記載の受信装置。
【請求項４】
前記判定手段は、前記複数の放送番組から選局される放送番組の番組情報データに基づいて、報酬を受け取る権利を取得することができる放送番組であるか否かを判定することを特徴とする請求項１乃至３のうちいずれか１項に記載の受信装置。
【請求項５】
前記予め定められた視聴条件は、報酬を受け取る権利を取得することができる放送番組を指定された時刻に視聴していること、報酬を受け取る権利を取得することができる放送番組を指定された時刻の間視聴していること、及び、報酬を受け取る権利を取得することができる放送番組を指定された時間視聴していることの少なくとも１つであることを特徴とする請求項１乃至４のうちいずれか１項に記載の受信装置。
【請求項６】
複数のチャンネルを有するデジタル放送を受信する受信装置であって、
指定する放送番組を録画すると共に、録画した放送番組を再生及び停止する録画制御手段と、
前記録画した放送番組の再生を停止する停止動作を検出する検出手段と、
前記録画した放送番組が予め定められた視聴条件を満たすことで視聴者が報酬を受け取る権利を取得することができる放送番組であるか否かを判定する判定手段と、
前記判定手段が報酬を受け取る権利を取得することができる放送番組であると判定した場合に、前記録画した放送番組の再生の制御に関するモードを通常モードから警告モードに遷移させる遷移手段と、
前記警告モードにおいて、前記録画された放送番組を再生している間に、当該録画された放送番組を停止する停止動作を前記検出手段が検出した場合に、前記報酬を受け取る権利が失われることを通知する通知手段と、
を有することを特徴とする受信装置。
【請求項７】
前記判定手段は、前記録画された放送番組の番組情報データに基づいて、報酬を受け取る権利を取得することができる放送番組であるか否かを判定することを特徴とする請求項６に記載の受信装置。
【請求項８】
前記予め定められた条件は、前記録画された放送番組を指定された時間再生していることであることを特徴とする請求項６又は７に記載の受信装置。
【請求項９】
前記警告モードにおいて、前記報酬を受け取る権利が失われることを通知する画面を表示する表示手段を更に有することを特徴とする請求項１乃至８のうちいずれか１項に記載の受信装置。
【請求項１０】
前記報酬は、前記受信装置に接続された印刷機器で印刷することができる印刷コンテンツ、又は、前記受信装置で起動することができるアプリケーションであることを特徴とする請求項１乃至９のうちいずれか１項に記載の受信装置。
【請求項１１】
複数のチャンネルを有するデジタル放送を受信する受信装置であって、
チャンネルを選局する選局動作を検出する検出手段と、
選局中のチャンネルで放送中の放送番組が予め定められた視聴条件を満たすことで視聴者が報酬を受け取る権利を取得することができる放送番組であるか否かを判定する判定手段と、
前記判定手段が報酬を受け取る権利を取得することができる放送番組であると判定した場合において、報酬を受け取る権利を取得することができる放送番組を視聴している間に、当該放送番組を放送中のチャンネルから他のチャンネルに選局する選局動作を前記検出手段が検出したら、前記報酬を受け取る権利が失われることを通知する通知手段と、
を有することを特徴とする受信装置。
【請求項１２】
複数のチャンネルを有するデジタル放送を受信する受信装置の制御方法であって、
チャンネルを選局する選局動作を検出する検出ステップと、
選局中のチャンネルで放送中の放送番組が予め定められた視聴条件を満たすことで視聴者が報酬を受け取る権利を取得することができる放送番組であるか否かを判定する判定ステップと、
前記判定ステップで報酬を受け取る権利を取得することができる放送番組であると判定した場合に、前記チャンネルの選局の制御に関するモードを通常モードから警告モードに遷移させる遷移ステップと、
前記警告モードにおいて、報酬を受け取る権利を取得することができる放送番組を視聴している間に、当該放送番組を放送中のチャンネルから他のチャンネルに選局する選局動作を前記検出ステップで検出した場合に、前記報酬を受け取る権利が失われることを通知する通知ステップと、
を有することを特徴とする制御方法。
【請求項１３】
複数のチャンネルを有するデジタル放送を受信する受信装置の制御方法であって、
指定する放送番組を録画すると共に、録画した放送番組を再生及び停止する録画制御ステップと、
前記録画した放送番組の再生を停止する停止動作を検出する検出ステップと、
前記録画した放送番組が予め定められた視聴条件を満たすことで視聴者が報酬を受け取る権利を取得することができる放送番組であるか否かを判定する判定ステップと、
前記判定ステップで報酬を受け取る権利を取得することができる放送番組であると判定した場合に、前記録画した放送番組の再生の制御に関するモードを通常モードから警告モードに遷移させる遷移ステップと、
前記警告モードにおいて、前記録画された放送番組を再生している間に、当該録画された放送番組を停止する停止動作を前記検出ステップで検出した場合に、前記報酬を受け取る権利が失われることを通知する通知ステップと、
を有することを特徴とする制御方法。
【発明の詳細な説明】
【技術分野】
【０００１】
本発明は、受信装置及び制御方法に関する。
【背景技術】
【０００２】
デジタル放送においては、放送データに印刷コンテンツを重畳して送出し、データ放送印刷機能を提供する技術が実現されている。データ放送印刷機能では、クイズ番組の解答用紙、星占い、お店の割引クーポン券、プレゼント応募券等の様々な種類の印刷コンテンツを送出することが可能であり、番組内容に特化した印刷コンテンツ（情報）が提供されている。
【０００３】
特に、割引クーポン券やプレゼント応募券などの印刷コンテンツは、視聴者が番組又はコマーシャルを視聴した結果として、かかる印刷コンテンツを取得する権利を得られるようにすることも可能である。この場合、視聴者のみではなく、スポンサーや放送局にとってもメリットが大きいと言える。
【０００４】
そこで、番組の放送データに付加情報（信号コード）を付加して送出し、視聴中に付加情報の受信回数をカウントして予め定められた基準に達した場合には、番組を任意の時間視聴していたと判定し、割引クーポン券など（報酬）を提供する技術が提案されている。このような技術に関しては、特許文献１に開示されている。
【特許文献１】特開２００４−２８９７７０号公報
【発明の開示】
【発明が解決しようとする課題】
【０００５】
しかしながら、特許文献１では、番組を視聴中のチャンネル操作や予約した番組の録画の開始等によって別のチャンネルが選局されると、それまでの視聴による付加情報のカウント（ポイント）が破棄されてしまうため、視聴者が報酬を取得する権利を失ってしまう。
【０００６】
本発明は、このような従来技術の課題に鑑みて、視聴による報酬を受け取る権利を失うことを防止することが可能な新たな技術を提供することを例示的目的とする。
【課題を解決するための手段】
【０００７】
上記目的を達成するために、本発明の第１の側面としての受信装置は、複数のチャンネルを有するデジタル放送を受信する受信装置であって、チャンネルを選局する選局動作を検出する検出手段と、選局中のチャンネルで放送中の放送番組が予め定められた視聴条件を満たすことで視聴者が報酬を受け取る権利を取得することができる放送番組であるか否かを判定する判定手段と、前記判定手段が報酬を受け取る権利を取得することができる放送番組であると判定した場合に、前記チャンネルの選局の制御に関するモードを通常モードから警告モードに遷移させる遷移手段と、前記警告モードにおいて、報酬を受け取る権利を取得することができる放送番組を視聴している間に、当該放送番組を放送中のチャンネルから他のチャンネルに選局する選局動作を前記検出手段が検出した場合に、前記報酬を受け取る権利が失われることを通知する通知手段と、を有することを特徴とする。
【０００８】
本発明の第２の側面としての受信装置は、複数のチャンネルを有するデジタル放送を受信する受信装置であって、指定する放送番組を録画すると共に、録画した放送番組を再生及び停止する録画制御手段と、前記録画した放送番組の再生を停止する停止動作を検出する検出手段と、前記録画した放送番組が予め定められた視聴条件を満たすことで視聴者が報酬を受け取る権利を取得することができる放送番組であるか否かを判定する判定手段と、前記判定手段が報酬を受け取る権利を取得することができる放送番組であると判定した場合に、前記録画した放送番組の再生の制御に関するモードを通常モードから警告モードに遷移させる遷移手段と、前記警告モードにおいて、前記録画された放送番組を再生している間に、当該録画された放送番組を停止する停止動作を前記検出手段が検出した場合に、前記報酬を受け取る権利が失われることを通知する通知手段と、を有することを特徴とする。
【０００９】
本発明の第３の側面としての受信装置は、複数のチャンネルを有するデジタル放送を受信する受信装置であって、チャンネルを選局する選局動作を検出する検出手段と、選局中のチャンネルで放送中の放送番組が予め定められた視聴条件を満たすことで視聴者が報酬を受け取る権利を取得することができる放送番組であるか否かを判定する判定手段と、前記判定手段が報酬を受け取る権利を取得することができる放送番組であると判定した場合において、報酬を受け取る権利を取得することができる放送番組を視聴している間に、当該放送番組を放送中のチャンネルから他のチャンネルに選局する選局動作を前記検出手段が検出したら、前記報酬を受け取る権利が失われることを通知する通知手段と、を有することを特徴とする。
【００１０】
本発明の第４の側面としての制御方法は、複数のチャンネルを有するデジタル放送を受信する受信装置の制御方法であって、チャンネルを選局する選局動作を検出する検出ステップと、選局中のチャンネルで放送中の放送番組が予め定められた視聴条件を満たすことで視聴者が報酬を受け取る権利を取得することができる放送番組であるか否かを判定する判定ステップと、前記判定ステップで報酬を受け取る権利を取得することができる放送番組であると判定した場合に、前記チャンネルの選局の制御に関するモードを通常モードから警告モードに遷移させる遷移ステップと、前記警告モードにおいて、報酬を受け取る権利を取得することができる放送番組を視聴している間に、当該放送番組を放送中のチャンネルから他のチャンネルに選局する選局動作を前記検出ステップで検出した場合に、前記報酬を受け取る権利が失われることを通知する通知ステップと、を有することを特徴とする。
【００１１】
本発明の第５の側面としての制御方法は、複数のチャンネルを有するデジタル放送を受信する受信装置の制御方法であって、指定する放送番組を録画すると共に、録画した放送番組を再生及び停止する録画制御ステップと、前記録画した放送番組の再生を停止する停止動作を検出する検出ステップと、前記録画した放送番組が予め定められた視聴条件を満たすことで視聴者が報酬を受け取る権利を取得することができる放送番組であるか否かを判定する判定ステップと、前記判定ステップで報酬を受け取る権利を取得することができる放送番組であると判定した場合に、前記録画した放送番組の再生の制御に関するモードを通常モードから警告モードに遷移させる遷移ステップと、前記警告モードにおいて、前記録画された放送番組を再生している間に、当該録画された放送番組を停止する停止動作を前記検出ステップで検出した場合に、前記報酬を受け取る権利が失われることを通知する通知ステップと、を有することを特徴とする。
【００１２】
本発明の更なる目的又はその他の側面は、以下、添付図面を参照して説明される好ましい実施形態によって明らかにされるであろう。
【発明の効果】
【００１３】
本発明によれば、例えば、視聴による報酬を受け取る権利を失うことを防止することが可能な新たな技術を提供することができる。
【発明を実施するための最良の形態】
【００１４】
以下、添付図面を参照して、本発明の好適な実施の形態について説明する。なお、各図において、同一の部材については同一の参照番号を付し、重複する説明は省略する。
【００１５】
図１は、本発明の一側面としてのデジタル放送受信装置を含む放送システムの一例を示す図である。かかる放送システムは、図１に示すように、放送局１０と、デジタル放送受信装置２０と、プリンタ３０とを含む。放送局１０は、複数の放送番組のそれぞれに対応する複数のデジタル放送を送出する。デジタル放送受信装置２０は、アンテナを介して、放送局１０から送出された複数のデジタル放送を受信する。プリンタ３０は、ネットワーク回線を介して、デジタル放送受信装置２０に通信可能に接続され、デジタル放送受信装置２０が取得（受信）した印刷コンテンツを印刷する印刷機器として動作する。
【００１６】
図２は、本発明の一側面としてのデジタル放送受信装置２０のシステム構成及び外部との接続構成を示す概略ブロック図である。デジタル放送受信装置２０は、チューナ部２０１と、データ分離部２０２と、映像デコード部２０３と、音声デコード部２０４と、表示合成部２０５と、表示制御部２０６とを有する。また、デジタル放送受信装置２０は、音声制御部２０７と、映像表示部２０８と、音声出力部２０９と、グラフィック生成部２１０と、システム制御部２１１と、受光部２１２と、選局制御部２１３とを有する。更に、デジタル放送受信装置２０は、メモリ部２１４と、タイマー部２１５と、データ放送制御部２１６と、データ放送ブラウズ処理部２１７と、印刷制御部２１８と、通信制御部２１９と、録画制御部２２０とを有する。なお、デジタル放送受信装置２０の各構成要素は、システムバス２２１を介して、互いに接続されている。
【００１７】
デジタル放送受信装置２０は、テレビ基本機能として、テレビ放送の選局処理機能を有する。また、デジタル放送受信装置２０は、テレビ拡張機能として、『社団法人電波産業界  標準規格「デジタル放送におけるデータ放送符号化方式と伝送方式」  ＡＲＩＢ  ＳＴＤ−Ｂ２４  ４．４版』で規定されるデータ放送のブラウズ機能や印刷機能を有する。
【００１８】
まず、デジタル放送受信装置２０の選局処理機能について説明する。選局処理機能とは、アンテナ２５１を介して、チューナ部２０１でデジタル放送信号を受信し、視聴者（ユーザ）によって選択されたチャンネルに関わる映像や番組情報等を映像表示部２０８に表示する機能及び音声を音声出力部２０９から出力する機能である。
【００１９】
具体的には、システム制御部２１１は、受光部２１２を介して、視聴者のリモコン２５２の操作による選局処理を示す操作情報を受信し、かかる操作情報に基づいて視聴者が選択したチャンネルを判定して選局制御部２１３に選局を要求（選局要求）する。換言すれば、システム制御部２１１は、チャンネルを選局する選局動作を検出する。選局制御部２１３は、システム制御部２１１からの選局要求に基づいて、チューナ部２０１及びデータ分離部２０２の選局制御を開始する。
【００２０】
チューナ部２０１は、入力された放送信号に対して、復調処理や誤り訂正処理等を施し、トランスポートストリーム（ＴＳ）を形成して、データ分離部２０２に出力する。
【００２１】
ＴＳには、複数のチャンネルに関わる映像データ、音声データ、番組情報データ、データ放送データ及び現在時刻情報等が多重されている。なお、番組情報データには、印刷コンテンツメタ情報、番組名、番組内容説明、放送チャンネル、放送時間情報（開始時刻と継続時間）及び番組ジャンル情報等が含まれる。データ放送データは、ＩＳＯ／ＩＥＣ１３８１８−６やＡＲＩＢによる標準規格ＳＴＤ−Ｂ２４等で規定及び記述されているＤＳＭ−ＣＣのデータカルーセル方式によって放送局１０から繰り返し送出される。時刻情報には、年月日情報及び時分秒情報等が含まれる。
【００２２】
データ分離部２０２は、入力されたＴＳから所望のチャンネル（即ち、視聴者によって選択されたチャンネル）に関わる映像データ、音声データ、番組情報データ、データ放送データ及び現在時刻情報等を分離する。データ分離部２０２は、分離した映像データ及び音声データのそれぞれを、映像デコード部２０３及び音声デコード部２０４に出力する。また、データ分離部２０２は、番組情報データ及びデータ放送データをメモリ部２１４に出力し、メモリ部２１４は、かかる番組情報データ及びデータ放送データを蓄積する。更に、データ分離部２０２は、現在時刻情報をタイマー部２１５に出力する。タイマー部２１５では、時刻情報のカウントを行う。
【００２３】
映像デコード部２０３は、入力された映像データに対して、ＭＰＥＧ等の複合化処理を施して、表示合成部２０５に出力する。
【００２４】
音声デコード部２０４は、入力された音声データに対して、ＭＰＥＧ等の複合化処理を施して、音声制御部２０７に出力する。
【００２５】
表示合成部２０５は、映像デコード部２０３で複合化処理が施された（即ち、複合された）映像データと、グラフィック生成部２１０で生成されたグラフィックデータとを合成する。
【００２６】
表示制御部２０６は、映像データを、映像表示部２０８の表示解像度、表示色数及びリフレッシュレートに適した表示データ（タイミングを含む）に変換して、映像表示部２０８に出力する。映像表示部２０８は、表示制御部２０６からの表示データに基づいて、映像を表示する。
【００２７】
音声制御部２０７は、音声データのボリュームレベル等を変更して、音声出力部２０９に出力する。音声出力部２０９は、音声制御部２０７からの音声データに基づいて、音声を出力する。
【００２８】
選局制御部２１３は、上述した選局処理動作が正常に完了すると、線直したチャンネル情報をメモリ部２１４に蓄積させる。
【００２９】
次に、デジタル放送受信装置２０のデータ放送のブラウズ機能について説明する。システム制御部２１１は、受光部２１２を介して、視聴者のリモコン２５２の操作によるブラウズ処理を示す操作情報を受信し、かかる操作情報に基づいてデータ放送制御部２１６にデータ放送のブラウズ処理を要求（ブラウズ処理要求）する。
【００３０】
データ放送制御部２１６は、メモリ部２１４に蓄積されたデータ放送データを取得する。データ放送制御部２１６は、取得したデータ放送データをデータ放送ブラウズ処理部２１７に送信して、ブラウズ処理を要求する。なお、データ放送のブラウズ処理に必要なデータがメモリ部２１４に蓄積されていない場合、データ放送制御部２１６は、データ分離部２０２に対して、データ放送データの取得を要求する。
【００３１】
印刷制御部２１８は、印刷に関する動作を（例えば、放送局１０から受信した印刷コンテンツなどがプリンタ３０で印刷されるように）制御する。
【００３２】
通信制御部２１９は、デジタル放送受信装置２０に接続する外部装置（例えば、プリンタ３０）との通信（データの送受信）を制御する。
＜第１の実施形態＞
以下、デジタル放送受信装置２０において、予め定められた条件（視聴条件）を満たすことで視聴者が報酬を受け取る権利を取得することができる放送番組を視聴する場合について説明する。報酬としては、デジタル放送受信装置２０に接続されたプリンタ３０で印刷することができる印刷コンテンツ、静止画や動画などの映像コンテンツ、デジタル放送受信装置２０で起動することができる（即ち、実行可能な）アプリケーションが考えられる。但し、本実施形態では、予め定められた条件（視聴条件）を満たすことで印刷コンテンツを受け取る権利を取得する（以下、「印刷報酬取得サービス」とする）場合を例に説明する。
【００３３】
放送局１０は、デジタル放送の放送データに印刷コンテンツを重畳して送出すると共に、かかる放送番組の情報番組データ（ＳＩ情報）として、印刷コンテンツメタ情報を多重して送出する。印刷コンテンツメタ情報には、図３に示すように、印刷コンテンツの種別、印刷コンテンツの名称、印刷コンテンツの内容、視聴条件としての視聴ポイント数、初回イベント発生時刻情報などが含まれている。ここで、図３は、情報番組データに含まれる印刷コンテンツメタ情報の一例を示す図である。
【００３４】
デジタル放送受信装置２０においては、システム制御部２１１は、選局中のチャンネルで放送中の放送番組の情報番組データに含まれている印刷コンテンツメタ情報に基づいて、印刷報酬取得サービスを含む放送番組であるか否かを判定する。具体的には、システム制御部２１１は、印刷コンテンツメタ情報に、視聴ポイント数が定義されていれば印刷報酬取得サービスを含む放送番組であると判定し、視聴ポイント数が定義されていなければ印刷報酬取得サービスを含まない放送番組であると判定する。
【００３５】
また、システム制御部２１１は、印刷報酬取得サービスを含む放送番組が予め定められた視聴条件で視聴されたか否か（即ち、予め定められた視聴条件を満たしたか否か）を確認する。本実施形態では、システム制御部２１１は、イベントメッセージを利用して、視聴ポイントをカウントすることで、印刷報酬取得サービスを含む放送番組が予め定められた視聴条件で視聴されたか否かを確認する。イベントメッセージとは、デジタル放送受信装置２０で動作するアプリケーションに対して、放送局１０から即座に、又は、指定した時刻に送信されるメッセージである。イベントメッセージの送信方式については、『社団法人電波産業界  標準規格「デジタル放送におけるデータ放送符号化方式と伝送方式」  ＡＲＩＢ  ＳＴＤ−Ｂ２４  ４．４版』に規定及び記述されている。
【００３６】
イベントメッセージのタイプは、汎用イベントメッセージの記述子のｔｉｍｅ＿ｍｏｄｅで定義されている。図４は、汎用イベントメッセージのデータ構造の一例を示す図である。例えば、ｔｉｍｅ＿ｍｏｄｅ＝０ｘ００の場合には、デジタル放送受信装置２０は、イベントメッセージを受信してすぐにイベントを発生させる。また、ｔｉｍｅ＿ｍｏｄｅ＝０ｘ０３の場合には、デジタル放送受信装置２０は、放送番組の開始時刻からｅｖｅｎｔ＿ｍｓｇ＿ｒｅｌａｔｉｖｅＴｉｍｅで定義された時間が経過した時点でイベントを発生させる。
【００３７】
図５は、イベントメッセージのタイプがｔｉｍｅ＿ｍｏｄｅ＝０ｘ００である場合において、印刷報酬取得サービスを含む放送番組の開始から印刷コンテンツを受け取る権利を取得するまでの概要を示す図である。なお、図５では、印刷報酬取得サービスを含む放送番組の開始時刻とかかる番組の視聴開始時刻とは一致しているものとする。
【００３８】
図５を参照するに、まず、印刷報酬取得サービスを含む放送番組が開始した（視聴を開始した）タイミングＴＭ１において、印刷コンテンツメタ情報から報酬としての印刷コンテンツを取得するまでに必要な視聴ポイント数（視聴条件）を取得する。本実施形態では、印刷コンテンツを取得するまでに必要な視聴ポイント数（視聴条件）は、「３」となっている。また、初回イベント発生時刻は、１５：１５と定義されているものとする。なお、タイミングＴＭ１において、選局制御部２１３は、後で詳細に説明するように、複数のチャンネルの選局の制御に関するモードを通常モードから警告モードに遷移させる。
【００３９】
次に、時刻が１５：１５となるタイミングＴＭ２において、最初のイベントメッセージを受信する。かかるイベントメッセージのタイプはｔｉｍｅ＿ｍｏｄｅ＝０ｘ００であるため、イベントメッセージを受信したらすぐに視聴ポイント数を「１」だけ減算する。これにより、視聴ポイント数は「２」となる。
【００４０】
次に、時刻が１６：００となるタイミングＴＭ３において、２つ目のイベントメッセージを受信する。かかるイベントメッセージのタイプはｔｉｍｅ＿ｍｏｄｅ＝０ｘ００であるため、イベントメッセージを受信したらすぐに視聴ポイント数を「１」だけ減算する。これにより、視聴ポイント数は「１」となる。
【００４１】
次に、時刻が１６：４５となるタイミングＴＭ４において、３つ目のイベントメッセージを受信する。かかるイベントメッセージのタイプはｔｉｍｅ＿ｍｏｄｅ＝０ｘ００であるため、イベントメッセージを受信したらすぐに視聴ポイント数を「１」だけ減算する。これにより、視聴ポイント数は「０」となるため、視聴者は報酬としての印刷コンテンツを受け取る権利を取得する。
【００４２】
図６は、イベントメッセージのタイプがｔｉｍｅ＿ｍｏｄｅ＝０ｘ０３である場合において、印刷報酬取得サービスを含む放送番組の開始から印刷コンテンツを受け取る権利を取得するまでの概要を示す図である。なお、図６では、印刷報酬取得サービスを含む放送番組の開始時刻とかかる番組の視聴開始時刻とは一致しているものとする。
【００４３】
図６を参照するに、まず、印刷報酬取得サービスを含む放送番組が開始した（視聴を開始した）タイミングＴＭ１において、印刷コンテンツメタ情報から報酬としての印刷コンテンツを取得するまでに必要な視聴ポイント数（視聴条件）を取得する。本実施形態では、印刷コンテンツを取得するまでに必要な視聴ポイント数（視聴条件）は、「３」となっている。
【００４４】
次に、時刻が１５：０７となるタイミングＴＭ５において、最初のイベントメッセージを受信する。かかるイベントメッセージのタイプはｔｉｍｅ＿ｍｏｄｅ＝０ｘ０３であるため、ｅｖｅｎｔ＿ｍｓｇ＿ｒｅｌａｔｉｖｅＴｉｍｅを参照する。本実施形態では、ｅｖｅｎｔ＿ｍｓｇ＿ｒｅｌａｔｉｖｅＴｉｍｅに１５分と定義されているため、放送番組の開始時刻から１５分後の時刻が１５：１５となるタイミングＴＭ２において、視聴ポイント数を「１」だけ減算する。これにより、視聴ポイント数は「２」となる。
【００４５】
次に、時刻が１５：４０となるタイミングＴＭ６において、２つ目のイベントメッセージを受信する。かかるイベントメッセージのタイプはｔｉｍｅ＿ｍｏｄｅ＝０ｘ０３であるため、ｅｖｅｎｔ＿ｍｓｇ＿ｒｅｌａｔｉｖｅＴｉｍｅを参照する。本実施形態では、ｅｖｅｎｔ＿ｍｓｇ＿ｒｅｌａｔｉｖｅＴｉｍｅに１時間と定義されているため、放送番組の開始時刻から１時間後の時刻が１６：００となるタイミングＴＭ３において、視聴ポイント数を「１」だけ減算する。これにより、視聴ポイント数は「１」となる。
【００４６】
次に、時刻が１６：３０となるタイミングＴＭ７において、３つ目のイベントメッセージを受信する。かかるイベントメッセージのタイプはｔｉｍｅ＿ｍｏｄｅ＝０ｘ０３であるため、ｅｖｅｎｔ＿ｍｓｇ＿ｒｅｌａｔｉｖｅＴｉｍｅを参照する。本実施形態では、ｅｖｅｎｔ＿ｍｓｇ＿ｒｅｌａｔｉｖｅＴｉｍｅに１時間４５分と定義されているため、放送番組の開始時刻から１時間４５分後の時刻が１６：４５となるタイミングＴＭ４において、視聴ポイント数を「１」だけ減算する。これにより、視聴ポイント数は「０」となるため、視聴者は報酬としての印刷コンテンツを受け取る権利を取得する。
【００４７】
図７は、デジタル放送受信装置２０の動作（処理）の一例を説明するためのフローチャートである。但し、本実施形態におけるデジタル放送受信装置２０の動作（処理）は、チャンネルの選局の制御に関するモードが警告モードに遷移した場合に特徴を有するため、以下では、警告モードに遷移した場合を重点に説明する。
【００４８】
図７を参照するに、ステップＳ４０２において、システム制御部２１１は、複数の放送番組から選局されて視聴する放送番組が印刷報酬取得サービスを含む放送番組であるか否かを判定する。
【００４９】
複数のチャンネルから選局されて視聴する放送番組が印刷報酬取得サービスを含む放送番組ではないと判定された場合には、ステップＳ４０４において、選局制御部２１３は、チャンネルの選局の制御に関するモードとして、通常モードを維持する。通常モードとは、視聴者の選局の指示による選局動作や予約された放送番組の録画による選局動作に応じて、上述した選局処理を実行するモードである。
【００５０】
一方、複数のチャンネルから選局されて視聴する放送番組が印刷報酬取得サービスを含む放送番組であると判定された場合には、ステップＳ４０６において、選局制御部２１３は、チャンネルの選局の制御に関するモードを通常モードから警告モードに遷移させる。警告モードとは、印刷報酬取得サービスを含む放送番組を視聴している間に、システム制御部２１１が視聴者の選局の指示による選局動作や予約された放送番組の録画による選局動作を検出した場合に、報酬を受ける権利が失われることを通知するモードである。
【００５１】
ステップＳ４０８において、システム制御部２１１は、視聴者のリモコン２５２の操作による操作情報やイベントメッセージの受信などのイベントが発生したか否かを判定する。
【００５２】
イベントが発生していないと判定された場合には、ステップＳ４１２に進み、イベントが発生していると判定された場合には、ステップＳ４１０に進む。
【００５３】
ステップＳ４１０において、システム制御部２１１は、イベントが選局動作であるか否かを判定する。
【００５４】
イベントが選局動作であると判定された場合には、ステップＳ４１６に進み、イベントが選局動作ではないと判定された場合には、ステップＳ４１２に進む。
【００５５】
ステップＳ４１２において、システム制御部２１１は、予め定められた視聴条件を満たしたか否かを確認する。
【００５６】
予め定められた視聴条件を満たしていなければ、ステップＳ４０８に戻り、予め定められた視聴条件を満たしていれば、ステップＳ４１４に進む。
【００５７】
ステップＳ４１４において、システム制御部２１１は、チューナ部２０１を介して、印刷コンテンツを受け取ってメモリ部２１４に格納すると共に、選局制御部２１３は、チャンネルの選局の制御に関するモードを警告モードから通常モードに遷移させる。
【００５８】
一方、イベントが選局動作であると判定された場合には、ステップＳ４１６において、報酬を受ける権利が失われることを通知する（即ち、警告画面を表示する）。例えば、視聴者の選局の指示による選局動作であれば、選局制御部２１３は、図８に示すような警告画面の生成をグラフィック生成部２１０に依頼する。また、予約された放送番組の録画による選局動作であれば、選局制御部２１３は、図９に示すような警告画面の生成をグラフィック生成部２１０に依頼する。図８に示す警告画面は、視聴者の選局の指示による選局動作に応じて、「視聴中のチャンネルを切り換えると、印刷サービスの権利を失いますがよろしいでしょうか？」という旨を通知する画面である。また、図９に示す警告画面は、予約された放送番組の録画による選局動作に応じて、「まもなく録画予約を開始します。チャンネルが切り換わると、印刷サービスの権利を失いますがよろしいでしょうか？」という旨を通知する画面である。そして、グラフィック生成部２１０で生成された警告画面（図８又は図９）が映像表示部２０８に表示される。ここで、図８及び図９は、警告モードにおいて映像表示部２０８に表示される警告画面の一例を示す図である。
【００５９】
ステップＳ４１８において、選局制御部２１３は、選局動作を実行するか否かを判定する。具体的には、ステップＳ４１６で映像表示部２０８に表示された図８又は図９に示す警告画面において、選局動作の実行を指示するＹＥＳボタンが選択されたか、或いは、選局動作の中止を指示するＮＯボタンが選択されたか、を判定する。
【００６０】
選局動作を実行しない（即ち、図８又は図９に示す警告画面において、ＮＯボタンが選択された）と判定された場合には、ステップＳ４２０において、選局制御部２１３は、映像表示部２０８に表示されている警告画面を消去して、ステップＳ４１２に戻る。この際、選局制御部２１３は、上述した選局処理を実行しないことは言うまでもない。
【００６１】
一方、選局動作を実行する（即ち、図８又は図９に示す警告画面において、ＹＥＳボタンが選択された）と判定された場合には、ステップＳ４２２において、選局制御部２１３は、上述した選局処理を実行する。
【００６２】
また、ステップＳ４２４において、システム制御部２１１は、これまでの視聴条件（本実施形態では、視聴ポイント数）をクリアする。これにより、印刷報酬取得サービスを含む放送番組の視聴により印刷コンテンツ（報酬）を取得することができる権利を失う。
【００６３】
ステップＳ４２６において、選局制御部２１３は、チャンネルの選局の制御に関するモードを警告モードから通常モードに遷移させる。
【００６４】
このように、第１の実施形態によれば、予め定められた視聴条件を満たすことで報酬を受け取る権利を取得することができる放送番組を視聴している間に、選局動作が発生した場合には、かかる報酬を受け取る権利を失われることが通知（警告）される。従って、視聴者は、選局動作を中止して視聴を継続することが可能となり、視聴による報酬を受け取る権利を失うことを防止することができる。
【００６５】
なお、図１０に示すように、印刷報酬取得サービスを含む放送番組の開始時刻を過ぎてから、例えば、時刻が１５：３０となるタイミングＴＭ８において、かかる放送番組を放送しているチャンネルが選局された（即ち、視聴を開始した）場合を考える。この場合、システム制御部２１１は、印刷コンテンツメタ情報から初回イベント発生時刻（１５：１５）を参照して、視聴開始時刻と初回イベント発生時刻とを比較する（即ち、報酬を受け取る権利を取得できるタイミングであるか否かを判別する）。そして、システム制御部２１１は、視聴開始時刻が初回イベント発生時刻を過ぎている（報酬を受け取る権利を取得できるタイミングでない）と判別した場合には、その旨を選局制御部２１３に通知する。なお、選局制御部２１３は、かかる通知を受けて、選局されたチャンネルで放送中の放送番組が印刷報酬取得サービスを含む放送番組であっても、チャンネルの選局の制御に関するモードを警告モードに遷移させない。
＜第２の実施形態＞
第１の実施形態では、印刷報酬取得サービスを含む放送番組をリアルタイムで視聴している場合を例に説明した。但し、デジタル放送受信装置２０は、上述したように、録画制御部２２０を有しているため、印刷報酬取得サービスを含む放送番組をリアルタイムではなく、録画して視聴（再生）することも可能である。第２の実施形態では、印刷報酬取得サービスを含む放送番組を録画して視聴（再生）する場合を例に説明する。
【００６６】
録画制御部２２０は、複数の放送番組から指定された放送番組を録画すると共に、録画した放送番組を再生及び停止する機能を有する。録画された放送番組は、パーシャルＴＳとしてメモリ部２１４に蓄積される。
【００６７】
図１１は、イベントメッセージのタイプがｔｉｍｅ＿ｍｏｄｅ＝０ｘ００である場合において、録画された印刷報酬取得サービスを含む放送番組の再生開始から印刷コンテンツを受け取る権利を取得するまでの概要を示す図である。
【００６８】
図１１を参照するに、録画した印刷報酬取得サービスを含む放送番組の再生を開始した（視聴を開始した）タイミングＴＭ１１において、印刷コンテンツメタ情報から報酬としての印刷コンテンツを取得するまでに必要な視聴ポイント数（視聴条件）を取得する。具体的には、録画制御部２２０は、メモリ部２１４に蓄積されたパーシャルＴＳをデータ分離部２０２に送り、パーシャルＴＳから分離された印刷コンテンツメタ情報を読み出して視聴ポイント数を取得する。本実施形態では、印刷コンテンツを取得するまでに必要な視聴ポイント数（視聴条件）は、「３」となっている。また、初回イベント発生時刻は、録画された放送番組の再生開始時刻から１５分後と定義されているものとする。なお、タイミングＴＭ１において、選局制御部２１３は、後で詳細に説明するように、録画した放送番組の再生の制御に関するモードを通常モードから警告モードに遷移させる。
【００６９】
次に、録画した放送番組の再生開始時刻から１５分後となるタイミングＴＭ１２（再生開始後時刻００：１５）において、最初のイベントメッセージを受信する。かかるイベントメッセージのタイプはｔｉｍｅ＿ｍｏｄｅ＝０ｘ００であるため、イベントメッセージを受信したらすぐに視聴ポイント数を「１」だけ減算する。これにより、視聴ポイント数は「２」となる。
【００７０】
次に、録画した放送番組の再生開始時刻から１時間後となるタイミングＴＭ１３（再生開始後時刻０１：００）において、２つ目のイベントメッセージを受信する。かかるイベントメッセージのタイプはｔｉｍｅ＿ｍｏｄｅ＝０ｘ００であるため、イベントメッセージを受信したらすぐに視聴ポイント数を「１」だけ減算する。これにより、視聴ポイント数は「１」となる。
【００７１】
次に、録画した放送番組の再生開始時刻から１時間４５分後となるタイミングＴＭ１４（再生開始後時刻０１：４５）において、３つ目のイベントメッセージを受信する。かかるイベントメッセージのタイプはｔｉｍｅ＿ｍｏｄｅ＝０ｘ００であるため、イベントメッセージを受信したらすぐに視聴ポイント数を「１」だけ減算する。これにより、視聴ポイント数は「０」となるため、視聴者は報酬としての印刷コンテンツを受け取る権利を取得する。
【００７２】
図１２は、デジタル放送受信装置２０の動作（処理）の一例を説明するためのフローチャートである。但し、本実施形態におけるデジタル放送受信装置２０の動作（処理）は、録画した放送番組の再生の制御に関するモードが警告モードに遷移した場合に特徴を有するため、以下では、警告モードに遷移した場合を重点に説明する。
【００７３】
図１２を参照するに、ステップＳ５０２において、録画制御部２２０は、再生して視聴する放送番組が印刷報酬取得サービスを含む放送番組であるか否かを判定する。
【００７４】
再生して視聴する放送番組が印刷報酬取得サービスを含む放送番組ではないと判定された場合には、ステップＳ５０４において、選局制御部２１３は、録画した放送番組の再生の制御に関するモードとして、通常モードを維持する。通常モードとは、視聴者の再生停止の指示による停止動作に応じて、録画した放送番組の再生の停止処理を実行するモードである。
【００７５】
一方、再生して視聴する放送番組が印刷報酬取得サービスを含む放送番組が印刷報酬取得サービスを含む放送番組であると判定された場合には、ステップＳ５０６に進む。
【００７６】
ステップＳ５０６において、選局制御部２１３は、録画した放送番組の再生の制御に関するモードを通常モードから警告モードに遷移させる。警告モードとは、印刷報酬取得サービスを含む放送番組を再生している間に、録画制御部２２０が視聴者の再生停止の指示による停止動作を検出した場合に、報酬を受ける権利が失われることを通知するモードである。
【００７７】
ステップＳ５０８において、システム制御部２１１は、視聴者のリモコン２５２の操作による操作情報やイベントメッセージの受信などのイベントが発生したか否かを判定する。
【００７８】
イベントが発生していないと判定された場合には、ステップＳ５１２に進み、イベントが発生していると判定された場合には、ステップＳ５１０に進む。
【００７９】
ステップＳ５１０において、システム制御部２１１は、イベントが録画された放送番組の再生を停止する停止動作であるか否かを判定する。
【００８０】
イベントが停止動作であると判定された場合には、ステップＳ５１６に進み、イベントが停止動作ではないと判定された場合には、ステップＳ５１２に進む。
【００８１】
ステップＳ５１２において、録画制御部２２０は、予め定められた視聴条件を満たしたか否かを確認する。
【００８２】
予め定められた視聴条件を満たしていなければ、ステップＳ５０８に戻り、予め定められた視聴条件を満たしていれば、ステップＳ５１４に進む。
【００８３】
ステップＳ５１４において、録画制御部２２０は、印刷コンテンツを受け取ってメモリ部２１４に格納すると共に、選局制御部２１３は、録画した放送番組の再生の制御に関するモードを警告モードから通常モードに遷移させる。
【００８４】
一方、イベントが停止動作であると判定された場合には、ステップＳ５１６において、報酬を受ける権利が失われることを通知する（即ち、警告画面を表示する）。例えば、選局制御部２１３は、図１３に示すような警告画面の生成をグラフィック生成部２１０に依頼する。図１３に示す警告画面は、視聴者の再生停止の指示による停止動作に応じて、「番組の再生を停止すると、印刷サービスの権利を失いますがよろしいでしょうか？」という旨を通知する画面である。そして、グラフィック生成部２１０で生成された警告画面（図１３）が映像表示部２０８に表示される。ここで、図１３は、警告モードにおいて映像表示部２０８に表示される警告画面の一例を示す図である。
【００８５】
ステップＳ５１８において、選局制御部２１３は、停止動作を実行するか否かを判定する。具体的には、ステップＳ５１６で映像表示部２０８に表示された図１３に示す警告画面において、停止動作の実行を指示するＹＥＳボタンが選択されたか、或いは、停止動作の中止を指示するＮＯボタンが選択されたか、を判定する。
【００８６】
停止動作を実行しない（即ち、図１３に示す警告画面において、ＮＯボタンが選択された）と判定された場合には、ステップＳ５２０において、選局制御部２１３は、映像表示部２０８に表示されている警告画面を消去して、ステップＳ５１２に戻る。この際、録画制御部２２０は、録画した放送番組の再生を停止する停止処理を実行しないことは言うまでもない。
【００８７】
一方、停止動作を実行する（即ち、図１３に示す警告画面において、ＹＥＳボタンが選択された）と判定された場合には、ステップＳ５２２において、録画制御部２２０は、録画した放送番組の再生を停止する停止処理を実行する。
【００８８】
また、ステップＳ５２４において、録画制御部２２０は、これまでの視聴条件（本実施形態では、視聴ポイント数）をクリアする。これにより、印刷報酬取得サービスを含む放送番組の視聴により印刷コンテンツ（報酬）を取得することができる権利を失う。
【００８９】
このように、第２の実施形態によれば、予め定められた視聴条件を満たすことで報酬を受け取る権利を取得することができる放送番組を再生している間に、停止動作が発生した場合には、かかる報酬を受け取る権利を失われることが通知（警告）される。従って、視聴者は、停止動作を中止して視聴（再生）を継続することが可能となり、視聴による報酬を受け取る権利を失うことを防止することができる。
＜第３の実施形態＞
第３の実施形態では、視聴条件としての視聴ポイント数をカウントするタイミングをイベントメッセージではなく、印刷コンテンツメタ情報で定義された区間を視聴したことで行う場合を説明する。換言すれば、印刷報酬取得サービスを含む放送番組を、指定された時刻の間視聴していること、指定された時間視聴していること、或いは、指定された時間再生していることで、印刷コンテンツを受け取る権利を取得する場合を説明する。
【００９０】
図１４は、情報番組データに含まれる印刷コンテンツメタ情報の一例を示す図である。印刷コンテンツメタ情報には、図１４に示すように、印刷コンテンツの種別、印刷コンテンツの名称、印刷コンテンツの内容、視聴条件としての視聴ポイント数、初回イベント発生時刻情報などに加えて、視聴ポイントカウント区間が含まれている。なお、視聴ポイントカウント区間は、視聴ポイント数ごとに定義される。
【００９１】
図１５は、印刷報酬取得サービスを含む放送番組の開始から印刷コンテンツを受け取る権利を取得するまでの概要を示す図である。なお、図１５では、印刷報酬取得サービスを含む放送番組の開始時刻とかかる番組の視聴開始時刻とは一致しているものとする。
【００９２】
図１５を参照するに、まず、印刷報酬取得サービスを含む放送番組が開始した（視聴を開始した）タイミングＴＭ２１において、印刷コンテンツメタ情報から報酬としての印刷コンテンツを取得するまでに必要な視聴ポイント数（視聴条件）を取得する。本実施形態では、印刷コンテンツを取得するまでに必要な視聴ポイント数（視聴条件）は、「３」となっている。また、初回イベント発生時刻は、１５：１５と定義されているものとする。なお、タイミングＴＭ２１において、選局制御部２１３は、チャンネルの選局の制御に関するモードを通常モードから警告モードに遷移させる。
【００９３】
次に、時刻が１５：１０となるタイミングＴＭ２５において、最初の視聴ポイントカウント区間が開始され、視聴ポイントカウント区間が終了するタイミングＴＭ２２（時刻１５：１５）まで選局処理が実行されなければ、視聴ポイント数を「１」だけ減算する。これにより、視聴ポイント数は「２」となる。
【００９４】
次に、時刻が１５：５５となるタイミングＴＭ２６において、２回目の視聴ポイントカウント区間が開始され、視聴ポイントカウント区間が終了するタイミングＴＭ２３（時刻１６：００）まで選局処理が実行されなければ、視聴ポイント数を「１」だけ減算する。これにより、視聴ポイント数は「１」となる。
【００９５】
次に、時刻が１６：４０となるタイミングＴＭ２７において、３回目の視聴ポイントカウント区間が開始され、視聴ポイントカウント区間が終了するタイミングＴＭ２４（時刻１６：４５）まで選局処理が実行されなければ、視聴ポイント数を「１」だけ減算する。これにより、視聴ポイント数は「０」となるため、視聴者は報酬としての印刷コンテンツを受け取る権利を取得する。
【００９６】
なお、デジタル放送受信装置２０の動作（処理）は、第１の実施形態と同様であるため、ここでの詳細な説明は省略する。
【００９７】
このように、予め定められた視聴条件を、指定された時刻の間視聴していること、指定された時間視聴していること、或いは、指定された時間再生していること、としても、第１の実施形態や第２の実施形態と同様な効果を得ることができる。即ち、予め定められた視聴条件を満たすことで報酬を受け取る権利を取得することができる放送番組を視聴又は再生している間に、選局動作又は停止動作が発生した場合には、かかる報酬を受け取る権利を失われることが通知（警告）される。従って、視聴者は、停止動作を中止して視聴（再生）を継続することが可能となり、視聴による報酬を受け取る権利を失うことを防止することができる。
＜第４の実施形態＞
第４の実施形態では、印刷報酬取得サービスをデジタル放送からダウンロードされるアプリケーションとして実現する。具体的には、かかるアプリケーションは、放送番組の視聴を開始する際にダウンロードされる。また、かかるアプリケーションには、第１の実施形態や第３の実施形態で印刷コンテンツメタ情報に定義されていた視聴ポイント数、初回イベント発生時刻情報、視聴ポイントカウント区間などの各情報が隠蔽されている。
【００９８】
本実施形態では、欧州データ放送規格のＪａｖａ（登録商標）ベースアプリケーション実行環境での動作を可能とする。なお、欧州データ放送規格は、ＭＨＰ（Ｍｕｌｔｉｍｅｄｅｉａ  Ｈｏｍｅ  Ｐｌａｔｆｏｒｍ）、ＧＥＭ（Ｇｌｏｂａｌｌｙ  Ｅｘｅｃｕｔａｂｌｅ  ＭＨＰ）、ＯＣＡＰ（Ｏｐｅｎ  Ｃａｂｌｅ  Ａｐｐｌｉｃａｔｉｏｎ  Ｐｌａｔｆｏｒｍ）などを含む。
【００９９】
図１６は、アプリケーションを用いた場合において、録画された印刷報酬取得サービスを含む放送番組の再生開始から印刷コンテンツを受け取る権利を取得するまでの概要を示す図である。なお、図１６では、印刷報酬取得サービスを含む放送番組の開始時刻とかかる番組の視聴開始時刻とは一致しているものとする。
【０１００】
図１６を参照するに、まず、印刷報酬取得サービスを含む放送番組が開始した（視聴を開始した）タイミングＴＭ３１において、ダウンロードされたアプリケーションがシステム制御部２１１により起動される。この際、印刷コンテンツを取得するまでに必要な視聴ポイント数（視聴条件）は、「３」となっている。なお、タイミングＴＭ３１において、選局制御部２１３は、チャンネルの選局の制御に関するモードを通常モードから警告モードに遷移させる。
【０１０１】
次に、時刻が１５：１０となるタイミングＴＭ３５において、最初の視聴ポイントカウント区間が開始され、視聴ポイントカウント区間が終了するタイミングＴＭ３２（時刻１５：１５）まで選局処理が実行されなければ、視聴ポイント数を「１」だけ減算する。これにより、視聴ポイント数は「２」となる。
【０１０２】
次に、時刻が１５：５５となるタイミングＴＭ３６において、２回目の視聴ポイントカウント区間が開始され、視聴ポイントカウント区間が終了するタイミングＴＭ３３（時刻１６：００）まで選局処理が実行されなければ、視聴ポイント数を「１」だけ減算する。これにより、視聴ポイント数は「１」となる。
【０１０３】
次に、時刻が１６：４０となるタイミングＴＭ３７において、３回目の視聴ポイントカウント区間が開始され、視聴ポイントカウント区間が終了するタイミングＴＭ３４（時刻１６：４５）まで選局処理が実行されなければ、視聴ポイント数を「１」だけ減算する。これにより、視聴ポイント数は「０」となるため、アプリケーションは印刷コンテンツの印刷を実行する。
【０１０４】
なお、デジタル放送受信装置２０の動作（処理）は、第１の実施形態と同様であるため、ここでの詳細な説明は省略する。
【０１０５】
このように、印刷報酬取得サービスをデジタル放送からダウンロードされるアプリケーションとして実現しても、第１の実施形態や第２の実施形態と同様な効果を得ることができる。即ち、予め定められた視聴条件を満たすことで報酬を受け取る権利を取得することができる放送番組を視聴又は再生している間に、選局動作又は停止動作が発生した場合には、かかる報酬を受け取る権利を失われることが通知（警告）される。従って、視聴者は、停止動作を中止して視聴（再生）を継続することが可能となり、視聴による報酬を受け取る権利を失うことを防止することができる。
【０１０６】
また、本発明の目的は、上述した実施形態の機能を実現するソフトウェアのプログラムコードを記録した記録媒体を、システム又は装置に供給しても達成することができる。従って、かかるシステム又は装置のコンピュータ（ＣＰＵやＭＰＵ）が記録媒体に記録されたプログラムコードを読み出して実行することによっても達成されることは言うまでもない。
【０１０７】
この場合、記録媒体から読み出されたプログラムコード自体が上述した実施形態の機能を実現することになり、かかるプログラムコードを記録した記録媒体は本発明を構成することになる。プログラムコードを記録（供給）するための記録媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。
【０１０８】
また、コンピュータが読み出したプログラムコードを実行することによって、上述した実施形態の機能が実現される場合もある。但し、プログラムコードの指示に基づいて、コンピュータ上で稼動しているＯＳ（オペレーティングシステム）などが実際の処理の一部又は全部を行い、かかる処理によって上述した実施形態の機能が実現される場合も含まれることは言うまでもない。
【０１０９】
更に、記録媒体から読み出されたプログラムコードが、コンピュータに挿入された機能拡張ボードやコンピュータに接続された機能拡張ユニットに備わるメモリに書き込まれる場合もある。従って、プログラムコードの指示に基づいて、機能拡張ボードや機能拡張ユニットに備わるＣＰＵなどが実際の処理の一部又は全部を行い、かかる処理によって上述した実施形態の機能が実現される場合も含まれることは言うまでもない。
【０１１０】
以上、本発明の好ましい実施形態について説明したが、本発明はこれらの実施形態に限定されないことはいうまでもなく、その要旨の範囲内で種々の変形及び変更が可能である。
【図面の簡単な説明】
【０１１１】
【図１】本発明の一側面としてのデジタル放送受信装置を含む放送システムの一例を示す図である。
【図２】本発明の一側面としてのデジタル放送受信装置のシステム構成及び外部との接続構成を示す概略ブロック図である。
【図３】情報番組データに含まれる印刷コンテンツメタ情報の一例を示す図である。
【図４】汎用イベントメッセージのデータ構造の一例を示す図である。
【図５】イベントメッセージのタイプがｔｉｍｅ＿ｍｏｄｅ＝０ｘ００である場合において、印刷報酬取得サービスを含む放送番組の視聴開始から印刷コンテンツを受け取る権利を取得するまでの概要を示す図である。
【図６】イベントメッセージのタイプがｔｉｍｅ＿ｍｏｄｅ＝０ｘ０３である場合において、印刷報酬取得サービスを含む放送番組の開始から印刷コンテンツを受け取る権利を取得するまでの概要を示す図である。
【図７】本発明の一側面としてのデジタル放送受信装置の動作（処理）の一例を説明するためのフローチャートである。
【図８】警告モードにおいて映像表示部に表示される警告画面の一例を示す図である。
【図９】警告モードにおいて映像表示部に表示される警告画面の一例を示す図である。
【図１０】印刷報酬取得サービスを含む放送番組の開始時刻を過ぎてから、かかる放送番組が選局された（即ち、視聴を開始した）場合の概要を示す図である。
【図１１】イベントメッセージのタイプがｔｉｍｅ＿ｍｏｄｅ＝０ｘ００である場合において、録画された印刷報酬取得サービスを含む放送番組の再生開始から印刷コンテンツを受け取る権利を取得するまでの概要を示す図である。
【図１２】本発明の一側面としてのデジタル放送受信装置の動作（処理）の一例を説明するためのフローチャートである。
【図１３】警告モードにおいて映像表示部２０８に表示される警告画面の一例を示す図である。
【図１４】情報番組データに含まれる印刷コンテンツメタ情報の一例を示す図である。
【図１５】印刷報酬取得サービスを含む放送番組の開始から印刷コンテンツを受け取る権利を取得するまでの概要を示す図である。
【図１６】アプリケーションを用いた場合において、録画された印刷報酬取得サービスを含む放送番組の再生開始から印刷コンテンツを受け取る権利を取得するまでの概要を示す図である。
【符号の説明】
【０１１２】
１０                      放送局
２０                      デジタル放送受信装置
２０１                    チューナ部
２０２                    データ分離部
２０３                    映像デコード部
２０４                    音声デコード部
２０５                    表示合成部
２０６                    表示制御部
２０７                    音声制御部
２０８                    映像表示部
２０９                    音声出力部
２１０                    グラフィック生成部
２１１                    システム制御部
２１２                    受光部
２１３                    選局制御部
２１４                    メモリ部
２１５                    タイマー部
２１６                    データ放送制御部
２１７                    データ放送ブラウズ処理部
２１８                    印刷制御部
２１９                    通信制御部
２２０                    録画制御部
２２１                    システムバス
２５１                    アンテナ
２５２                    リモコン
３０                      プリンタ
【図１】
2010081242.tif 000003
【図２】
2010081242.tif 000004
【図３】
2010081242.tif 000005
【図４】
2010081242.tif 000006
【図５】
2010081242.tif 000007
【図６】
2010081242.tif 000008
【図７】
2010081242.tif 000009
【図８】
2010081242.tif 000010
【図９】
2010081242.tif 000011
【図１０】
2010081242.tif 000012
【図１１】
2010081242.tif 000013
【図１２】
2010081242.tif 000014
【図１３】
2010081242.tif 000015
【図１４】
2010081242.tif 000016
【図１５】
2010081242.tif 000017
【図１６】
2010081242.tif 000018